(57)【特許請求の範囲】
【請求項１】
棚板の前端部に門形に屈曲されたワイヤからなるワイヤフェンスが装着され、後端部に背壁が設けられるとともに、前記棚板は前後端部に渡るワイヤからなる多数の商品仕切棒により横方向に仕切られるショーケースの商品棚において、
前記商品仕切棒の前端部をＬ字状に折り曲げるとともに前記Ｌ曲げ部の先端を内側にカールさせて丸みを持たせ、他方、前記商品仕切棒の後端部はコ字状に折り曲げるとともに、前記棚板の背壁の上端面には前記商品仕切棒を受ける波形の溝を多数設け、前記後端部のコ字曲げ部を前記棚板の後端部に後方から被せ、前記Ｌ曲げ部を前記ワイヤフェンスに上方から引っ掛けて前記商品仕切棒を前記商品棚に装着することを特徴とするショーケースの商品棚。
【発明の詳細な説明】
【技術分野】
【０００１】
この発明は、コンビニエンスストアなどの店舗に設置されるショーケースに関し、特に商品仕切棒を備えた商品棚に関する。
【背景技術】
【０００２】
ペットボトルなどの断面が円形の商品を販売するショーケースにおいては、左右に隣接する商品の間を仕切るワイヤの商品仕切棒が商品の整列のために商品棚にしばしば装着される。この商品仕切棒を備えたショーケースの商品棚については、例えば特許文献１に記載されている。図３は、この種のオープンショーケースの一例を示す縦断面図、図４は図３における商品棚の要部斜視図、図５は同じく側面図である。
【０００３】
まず、図３において、ショーケース本体内には前面が開口した商品陳列室１が設けられ、庫内に上下多段に配置された商品棚２上に、ペットボトル入り飲料や缶入り飲料などの商品３が多数載置されている。商品陳列室１の外側には冷気循環通路４が形成され、その内部には冷却器５及び通風ファン６が設置されている。このようなショーケースにおいて、商品冷却時には通風ファン６の送風により冷却器５を通過した冷気が商品陳列室１の周囲を循環通風され、商品３が冷却される。また、商品加温時には商品棚２の下面に配置された図示しないヒータに通電され、商品３の加温が行われる。
【０００４】
次に、図４及び図５において商品棚２は棚板７を備え、この棚板７の前端部には断面Ｃ字状の固定金８が固定され、後端部には背壁９が固定されている。なお、図３において、固定金８には、その前面との間に隙間を介して断面Ｌ字状の支え金１０が固定され、前記隙間に商品表示板１１が差し込まれている。ここで、固定金８には、門形に屈曲された断面円形のワイヤからなるワイヤフェンス１２が差込みにより装着されている。また、棚板７は前後端部に渡る断面円形のワイヤからなる多数の商品仕切棒１３により横方向に仕切られている。
【０００５】
商品仕切棒１３は前端部がＬ字状に折り曲げられており、このＬ曲げ部１３ａが固定金８の上面に横並びにあけられた多数の丸穴１４の一つに差し込まれ、後端部が背壁９に丸穴１４と同じ間隔で横並びにあけられた多数の丸穴１５の一つに差し込まれて装着されている。商品仕切棒１３を図示の通りに装着するには、まず後端部を丸穴１５に差し込み、次いでＬ曲げ部１３ａを丸穴１４に差し込む。また、取り外す際には、まず前端部を持ち上げてＬ曲げ部１３ａを丸穴１４から抜き出し、次いで前方に引っ張って後端部を丸穴１５から抜き出す。商品３は商品仕切棒１３により仕切られた区画内に、前後に整列して収容される。
【特許文献１】特開２００３−２５０６７５号公報
【発明の開示】
【発明が解決しようとする課題】
【０００６】
従来のショーケースにおける商品仕切棒は、上述したように棚板の前後に設けた穴に商品仕切棒の前後端部を差し込んで固定している。ところが、商品が商品棚に載った状態では穴がよく見えず、手探り状態で穴に差し込まなければならない。そのため、従来は商品が載った状態での装着が困難であった。
【０００７】
そこで、この発明の課題は、商品が商品棚に載った状態でも商品仕切棒を容易に装着できるようにすることにある。
【課題を解決するための手段】
【０００８】
上記課題を解決するために、この発明は、棚板の前端部に門形に屈曲されたワイヤからなるワイヤフェンスが装着され、後端部に背壁が設けられるとともに、前記棚板は前後端部に渡るワイヤからなる多数の商品仕切棒により横方向に仕切られるショーケースの商品棚において、前記商品仕切棒の前端部をＬ字状に折り曲げるとともに前記Ｌ曲げ部の先端を内側にカールさせて丸みを持たせ、他方後端部をコ字状に折り曲げるとともに前記棚板の背壁の上端面に前記商品仕切棒を受ける波形の溝を多数設け、前記後端部のコ字曲げ部を前記棚板の後端部に後方から被せ、前記Ｌ曲げ部を前記ワイヤフェンスに上方から引っ掛けて前記商品仕切棒を前記商品棚に装着することを特徴とする（請求項１）。
【０００９】
本発明は、商品仕切棒を穴に差し込む必要がないので、商品が商品棚に載った状態でも商品に妨げられることなく容易に装着することができる。
【００１０】
また、前記Ｌ曲げ部の先端を内側にカールさせて丸みを持たせることにより、Ｌ曲げ部をワイヤフェンスに引っ掛けやすくなるとともに、引っ掛けた後は丸みでロックされ外れにくくなる。
【００１１】
更に、前記棚板の背壁の上端面に前記商品仕切棒を受ける波形の溝を多数設けることで、商品仕切棒が溝で位置決めされ、左右に位置ずれし難くなる。
【発明の効果】
【００１２】
この発明によれば、穴を探りながら商品仕切棒を差し込む必要がないので装着が容易になるとともに、装着後も簡単に位置調整を行うことができ、ショーケースにおける商品ローディング作業の作業性が向上する。
【発明を実施するための最良の形態】
【００１３】
以下、図１及び図２に基づいて、従来例で示したオープンショーケースと同様のショーケースにおけるこの発明の実施の形態を説明する。ここで、図１は商品棚の要部斜視図、図２は同じく側面図である。なお、従来例と対応する部分には同一の符号を用いるものとする。図１及び図２において、従来例と相違するのは、商品仕切棒１３の後端部１３ｂがコ字状に折り曲げられている点である。また、Ｌ字状に折り曲げられた前端部１３ａの先端は内側にカールされ丸みが形成されている。一方、棚板７における背壁９の上端面には、商品仕切棒１３を受ける溝１６が波形に多数設けられている。その他の構成は、図４及び図５の従来例と実質的に同じである。
【００１４】
図示商品棚２において、商品仕切棒１３を図示の通り装着するには、コ字曲げ部１３ｂを前記棚板の後端部に後方から被せ、Ｌ曲げ部１３ａをワイヤフェンス１２にその弾性を利用して上方から引っ掛ける。その際、Ｌ曲げ部１３ａは先端の丸みでワイヤフェンス１２に容易に引っ掛かり、また丸みがワイヤフェンス１２を乗り越えた後は容易には外れなくなる。更に、商品仕切棒１３は背壁９の溝１６に落ち込んで位置決めされ、左右の位置ずれが押えられる。商品仕切棒１３を外すには、まずＬ曲げ部１３ａを持ち上げてワイヤフェンス１２から外し、次いで全体を後方にずらせてコ字曲げ部１３ｂを棚板７から分離する。
【００１５】
図示実施の形態によれば、商品仕切棒１３を穴に差し込む必要がないので、商品が商品棚２に載った状態でも商品３に妨げられることなく商品仕切棒１３を容易に装着することができる。なお、図示実施の形態では冷温兼用オープンショーケースの例を示したが、この発明は商品棚に商品仕切棒を有するショーケース一般に広く適用可能である。
【図面の簡単な説明】
【００１６】
【図１】この発明の実施の形態を示すショーケースの商品棚の要部斜視図である。
【図２】図１の商品棚の側面図である。
【図３】この発明が適用される従来のショーケースの一例を示す縦断面図である。
【図４】従来のショーケースの商品棚を示す要部斜視図である。
【図５】図４の商品棚の側面図である。
【符号の説明】
【００１７】
２    商品棚
７    棚板
９    背壁
１２    ワイヤフェンス
１３    商品仕切棒
１３ａ  Ｌ曲げ部
１３ｂ  コ字曲げ部
１６    溝
【図１】
0004674446.tif 000002
【図２】
0004674446.tif 000003
【図３】
0004674446.tif 000004
【図４】
0004674446.tif 000005
【図５】
0004674446.tif 000006